(57)【特許請求の範囲】
【請求項１】
指針と、前記指針の回転中心部を取り巻くように後方側から前方側に向かって傾斜する略すり鉢状または略椀状の立体形状からなる立体造形部を有する第一の表示器と、表示光を発する第二の表示器と、前記第一の表示器と前記第二の表示器との間に配設され、観察者が前記立体造形部の少なくとも一部を視認でき、前記観察者に向けて前記表示光を反射する透過型反射パネルと、を備えてなる表示装置であって、
前記第二の表示器は、前記表示光が反射されて前記観察者に視認される虚像が、前記指針の回転中心部及び前記立体造形部の傾斜面の後端部に重なり、前記立体造形部の傾斜面の途中に位置するように配置されることを特徴とする表示装置。
【請求項２】
前記第一の表示器は、指標部とこの指標部の背景をなす背景部とが施された前記立体造形部である表示板と、前記指標部を後方から透過照明する照明手段と、を有することを特徴とする請求項１に記載の表示装置。
【請求項３】
前記第二の表示器は、前記虚像が前記傾斜面の後方側から前方側に向けて輝度あるいは色が変化するように前記表示光を発することを特徴とする請求項１に記載の表示装置。
【発明の詳細な説明】
【技術分野】
【０００１】
本発明は、実像と虚像を重ねて表示する表示装置に関する。
【背景技術】
【０００２】
従来、この種の表示装置にあっては、例えば各種計測情報をアナログ表示する第一の表示器の前方をハーフミラー（透過型反射パネル）で覆い、観察者の視線を遮らない前記ハーフミラーの前方位置に第二の表示器を配置して、前記第一の表示器によって形成される第一の表示像を実像表示し、前記第二の表示器によって形成される第二の表示像を前記ハーフミラーで反射して虚像を表示するものが知られている（例えば特許文献１参照）。
【特許文献１】特開２００１−１７１３９２号公報
【発明の開示】
【発明が解決しようとする課題】
【０００３】
かかる表示装置によれば、前記第二の表示像を実像である前記第一の表示像よりも奥まった位置に虚像表示することによって立体感を演出できるものである。しかしながら、前記第一，第二の表示像がいずれも平面的な表示であるため、表示に奥行きを持たせる点で更なる改良の余地があった。
【０００４】
そこで本発明は、前述の課題に対して対処するため、実像と虚像を重ねて表示する表示装置において、立体感を演出し、商品性，デザイン性を向上させることが可能な表示装置の提供を目的とするものである。
【課題を解決するための手段】
【０００５】
本発明は、前述の課題を解決するために、指針と、前記指針の回転中心部を取り巻くように後方側から前方側に向かって傾斜する略すり鉢状または略椀状の立体形状からなる立体造形部を有する第一の表示器と、表示光を発する第二の表示器と、前記第一の表示器と前記第二の表示器との間に配設され、観察者が前記立体造形部の少なくとも一部を視認でき、前記観察者に向けて前記表示光を反射する透過型反射パネルと、を備えてなる表示装置であって、前記第二の表示器は、前記表示光が反射されて前記観察者に視認される虚像が、前記指針の回転中心部及び前記立体造形部の傾斜面の後端部に重なり、前記立体造形部の傾斜面の途中に位置するように配置されることを特徴とする。
【０００６】
また、前記第一の表示器は、指標部とこの指標部の背景をなす背景部とが施された前記立体造形部である表示板と、前記指標部を後方から透過照明する照明手段と、を有することを特徴とする。
【０００７】
また、前記第二の表示器は、前記虚像が前記傾斜面の後方側から前方側に向けて輝度あるいは色が変化するように前記表示光を発することを特徴とする。
【発明の効果】
【０００８】
本発明によれば、所期の目的を達成でき、実像と虚像を重ねて表示する表示装置において、立体感を演出し、商品性，デザイン性を向上させることが可能となる。
【発明を実施するための最良の形態】
【０００９】
以下、添付図面に基づき本発明による表示装置の実施形態を説明する。
【００１０】
図１から図２は、本発明の実施形態を示すもので、図１は表示装置の断面図、図２は本実施形態による表示装置の正面図である。
【００１１】
図１において、本実施形態による表示装置は、第一の表示器１と、第二の表示器（表示器）２と、第一の表示器１と第二の表示器２との間に配設されるハーフミラー（透過型反射パネル）３と、を有する。
【００１２】
第一の表示器１は、ハーフミラー３の後方側に設けられ、計測値として車速に応じて回転軸１０を回転させる駆動装置１１と、この駆動装置１１によって回転する指針１２と、この指針１２の背後に配置される表示板（立体造形部）１３と、表示板１３及び指針１２を照明する例えば発光ダイオードからなる複数の光源（照明手段）１４と、を有する。
【００１３】
指針１２は、光源１４からの光で発光可能な透明合成樹脂材からなる指示部１２ａと、例えば黒色の遮光性合成樹脂材からなる回転中心部１２ｂと、で形成される。また、本実施形態においては、表示板１３が後述するように略すり鉢状の立体形状に形成されていることから、指示部１２ａは、表示板１３の傾斜面に沿うように屈曲して形成されている。
【００１４】
表示板１３は、透光性基板に遮光性インクと透光性インクとを印刷形成してなる。表示板１３は、図２に示すように、例えば白色の透光性インクによって形成され指針１２の指示対象となる目盛や数字、図形等からなる指標部１３ａと、例えば黒色の遮光性インクによって形成される背景部１３ｂと、を有するものである。また、表示板１３は、立体形状を有するように絞り加工されており、略中央部に回転軸１０を貫通させるための貫通孔１３ｃが形成された環状の平板部１３ｄと、この平板部１３ｄ（指針１２の回転中心部１２ｂ）を取り巻くように後方側から前方側（図１中の右側から左側）に傾斜して延び、指標部１３ａ及び背景部１３ｂが形成されるすり鉢形状の傾斜面１３ｅと、を有する。本実施形態の立体形状を有する表示板１３は、例えば指標部１３ａと背景部１３ｂを透光性基板に印刷形成した後、透光性基板を熱変形させる、いわゆる絞り加工（絞り成形）により形成することができる。
【００１５】
そして各光源１４が点灯すると、図２に示すように、計測値に応じて回転移動する指針１２、指針１２に対応する複数の指標部１３ａの発光像でなるアナログ式表示像を形成する。なお指標部１３ａは、指針１２の移動軌道に応じて円弧状に配列される。なお、本実施形態においては、指針１２が赤色、指標部１３ａが白色で発光する。
【００１６】
第二の表示器２は、ハーフミラー３の前方側に設けられるＴＦＴ型の液晶表示器からなり、光源２１と液晶パネル２２とを有する。光源２１は例えば複数の発光ダイオードからなり、光源２１から発せられた光は液晶パネル２２を透過して所定の発光像を形成する表示光となり、ハーフミラー３に向けて出射される。さらに、前記表示光がハーフミラー３を通じて観察者側に反射されて虚像が表示（視認）される。本実施形態においては、虚像として、図２に示すような、各種メッセージやワーニング情報が表示される情報表示像Ｖ１と、その中央側から外周方向に向かうに従って徐々に輝度あるいは色度が変化するグラデーションを伴ったリング状の装飾背景像Ｖ２と、が表示される。本実施形態においては、装飾背景像Ｖ２は、中央側から外周方向に向かって徐々に輝度が低くなっている。なお、虚像Ｖ２のグラデーション表現としては、輝度あるいは色度が周期的（段階的）に変化するものであってもよい。
【００１７】
ハーフミラー３は、例えば暗色系の色に着色されたガラスまたは合成樹脂材からなる。なお場合によっては、ハーフミラー３の表面に金属系薄膜または光干渉膜からなる反射膜を被着してもよい。
【００１８】
このハーフミラー３は、図１に示すように、観察者の視線方向から見たとき、第一の表示器１の表示面（前面）を覆い、且つその前面が第二の表示器２の表示面に対向するように、第一，第二の表示器１，２間に配置され、前記アナログ式発光像を観察者側に透過して実像として視認させ、第二の表示器２の表示光を観察者側に反射して虚像Ｖ１，Ｖ２を視認させる。なおハーフミラー３の視線方向Ｅに対する傾き角度は例えば４５度に設定されている。またこの場合、第二の表示器２は、ハーフミラー３の上方であって、観察者からは直接見えない位置に配置される。
【００１９】
第二の表示器２は、虚像Ｖ１，Ｖ２が指針１２の回転中心領域に対応し、また、表示板１３の傾斜面１３ｅの途中に位置するよう前記表示光のハーフミラー３への投影位置を調整して配置される。これにより指針１２の回転中心部１２ｂと重なるように形成される情報表示像Ｖ１と回転中心部１２ｂの周囲を円環形状に取り巻く装飾背景像Ｖ２とは、傾斜面１３ｅの前端部である指標部１３ａよりも後方であって、傾斜面１３ｅの後端部よりも前方に位置するように視認され、傾斜面１３ｅと虚像Ｖ１，Ｖ２との距離差により奥行き感、立体感を有する表示を行うことができる。なお、第一の表示器１の非発光部は観察者からほとんど見えないか、僅かに確認される程度であるが、傾斜面１３ｅに形成される指標部１３ａの発光像が視認されることによって観察者は傾斜面１３ｅの存在を認識することができる。
【００２０】
特に、傾斜面１３ｅの後方側から前方側に向けて輝度あるいは色が変化するグラデーションを伴った装飾背景像Ｖ２を傾斜面１３ｅの途中に位置するように形成することによって、従来平面的であったグラデーション表示を立体造形部である表示板１３の傾斜面１３ｅに調和させ、実像である傾斜面１３ｅの奥行きと虚像のグラデーション表示による輝度あるいは色変化とを組み合わせた新規な立体感のある表示をなすことができ、表示装置としての商品性，デザイン性を向上させることができる。
【００２１】
なお、本実施形態では、立体造形部である表示板１３が、略すり鉢状の傾斜面１３ｅを有する構成について説明したが、本発明の立体造形部の形状はこれに限定されるものではなく、例えば傾斜面１３ｅを略椀形状の曲面からなる傾斜面に設定してもよい。また、第一の表示器１において、指針は表示板１３の中央に配置される必要はなく、表示板１３の外周に沿って回動するものであってもよい。
【図面の簡単な説明】
【００２２】
【図１】本発明の実施形態による表示装置の断面図である。
【図２】同上表示装置の正面図である。
【符号の説明】
【００２３】
１  第一の表示器
２  第二の表示器
３  ハーフミラー（透過型反射パネル）
１２  指針
１２ａ  指示部
１２ｂ  回転中心部
１３  表示板
１３ａ  指標部
１３ｂ  背景部
１３ｃ  貫通孔
１３ｄ  平板部
１３ｅ  傾斜面
Ｖ１  情報表示像
Ｖ２  装飾背景像
【図１】
0005187553.tif 000002
【図２】
0005187553.tif 000003